(57)【要約】【目的】  液面浮遊物をその大小にかかわらず、簡易な構成によって確実且つ効率的に回収することが可能な液面浮遊物回収装置を提供する。【構成】  油・スカムが水に混入した液層内に配設されるフロートと、  該フロートの浮力により前記液層の液面付近に保持される回収口部から該液面に浮上する油・スカムの如き液面浮遊物を回収する回収部と、  液層外に配置されると共に前記回収部に回収管を介して接続して前記回収部により回収した油・スカムを水から分離する分離部と、  該分離部により油・スカムを分離した水を前記液層内に戻す戻し管と、  を有して成る液面浮遊物回収装置において、  前記戻し管からの戻り水を前記フロートの少なくとも一部に掛け流して該フロートを前記液面に対して沈下させることにより前記液面に対する前記回収部の回収口部の保持位置を上下動させる構成である。【選択図】        図１
2013150953.tif 000002
【特許請求の範囲】
【請求項１】
油・スカムが水に混入した液層内に配設されるフロートと、
該フロートの浮力により前記液層の液面付近に保持される回収口部から該液面に浮上する油・スカムの如き液面浮遊物を回収する回収部と、
液層外に配置されると共に前記回収部に回収管を介して接続して前記回収部により回収した油・スカムを水から分離する分離部と、
該分離部により油・スカムを分離した水を前記液層内に戻す戻し管と、
を有して成る液面浮遊物回収装置において、
前記戻し管からの戻り水を前記フロートの少なくとも一部に掛け流して該フロートを前記液面に対して沈下させることにより前記液面に対する前記回収部の回収口部の保持位置を上下動させる構成であることを特徴とする液面浮遊物回収装置。
【請求項２】
前記フロートが、前記回収部の浮上を主として受け持つ主フロート部と、前記戻り水が掛け流されることにより液面に対して沈下する上下動フロート部と、を有する構成であることを特徴とする請求項１に記載の液面浮遊物回収装置。
【請求項３】
前記上下動フロート部が、該上下動フロート部の被取付部に対して回動可能又は遊動可能に取り付けられており、前記戻り水の掛け流し位置からの逃げ動作及び復帰動作を行う構成であることを特徴とする請求項２に記載の液面浮遊物回収装置。
【請求項４】
前記上下動フロート部が前記回収口部から離開した位置に設けられ、前記上下動フロート部と前記回収口部との間に前記主フロート部が設けられた構成であることを特徴とする請求項２又は３に記載の液面浮遊物回収装置。
【請求項５】
前記戻し管からの戻り水の流入位置と前記回収部の回収口部との間に、戻り水によって液面に生じる波を遮蔽する防波手段を配設する構成であることを特徴とする請求項１〜４のいずれかに記載の液面浮遊物回収装置。
【請求項６】
前記防波手段が板状部材であることを特徴とする請求項５に記載の液面浮遊物回収装置。
【発明の詳細な説明】
【技術分野】
【０００１】
本発明は液面浮遊物回収装置に関し、詳しくは食品工場・機械類工場等における種々処理槽の液面に浮上する油・スカム等の浮遊物を回収する装置に関する。
【背景技術】
【０００２】
液面浮遊物の回収装置としては、流入口部をフロートの浮力により液面付近に保持することにより液面に浮上する浮遊物を流入させたり吸引する等して回収する構成が知られている。
【０００３】
液面に浮上する油・スカム等の浮遊物を効率的に且つ確実に回収するためには、回収部の流入口部分である回収口部が液面に常に追従した状態となることが望ましい。
【０００４】
しかし、液面浮遊物が比較的小径のものである場合には回収口部に円滑に流入するものの、直径が数ｍｍ程度以上のものである場合には回収口部の縁部に引っ掛かってしまい回収できない場合があることが判った。
【０００５】
かかる事態を放置したまま回収作業を続けた場合、回収口部の周辺に回収できない浮遊物が滞留・滞積してしまって回収口部の周囲が塞がれ、本来は回収可能であった小径の浮遊物を含めて浮遊物の回収が困難となってしまうことさえあることが判った。
【先行技術文献】
【特許文献】
【０００６】
【特許文献１】特開平０８−２５２５７７
【発明の概要】
【発明が解決しようとする課題】
【０００７】
特許文献１に記載の技術は、フロートの近傍で波生成手段により液面を揺動させて波を起こし浮遊物の吸込口を上下動させることによって前記吸込口の外周縁に引っ掛かった大きな液面浮遊物を吸込み可能にする構成である。
【０００８】
しかし、特許文献１の技術では、発生する波によって液面に浮上していた油・スカム等の浮遊物が液層内に沈下してしまったり、水と混ざってしまうことがあり、回収効率が返って低下してしまう場合があるという問題点があることが判った。
【０００９】
また、特許文献１の技術では、処理液量の多寡等によって変動する液層内の水位変移に応じて波生成手段の設置高さを変更調整させる構成が必須であり、部品点数の増加・構造の複雑化等により回収装置のコスト上昇を招くという不都合も考えられることが判った。
【００１０】
そこで本発明の課題は、液面浮遊物をその大小にかかわらず、簡易な構成によって確実且つ効率的に回収することが可能な液面浮遊物回収装置を提供することにある。
【課題を解決するための手段】
【００１１】
上記課題を解決する本発明は下記構成を有する。
【００１２】
１．油・スカムが水に混入した液層内に配設されるフロートと、
該フロートの浮力により前記液層の液面付近に保持される回収口部から該液面に浮上する油・スカムの如き液面浮遊物を回収する回収部と、
液層外に配置されると共に前記回収部に回収管を介して接続して前記回収部により回収した油・スカムを水から分離する分離部と、
該分離部により油・スカムを分離した水を前記液層内に戻す戻し管と、
を有して成る液面浮遊物回収装置において、
前記戻し管からの戻り水を前記フロートの少なくとも一部に掛け流して該フロートを前記液面に対して沈下させることにより前記液面に対する前記回収部の回収口部の保持位置を上下動させる構成であることを特徴とする液面浮遊物回収装置。
【００１３】
２．前記フロートが、前記回収部の浮上を主として受け持つ主フロート部と、前記戻り水が掛け流されることにより液面に対して沈下する上下動フロート部と、を有する構成であることを特徴とする上記１に記載の液面浮遊物回収装置。
【００１４】
３．前記上下動フロート部が、該上下動フロート部の被取付部に対して回動可能又は遊動可能に取り付けられており、前記戻り水の掛け流し位置からの逃げ動作及び復帰動作を行う構成であることを特徴とする上記２に記載の液面浮遊物回収装置。
【００１５】
４．前記上下動フロート部が前記回収口部から離開した位置に設けられ、前記上下動フロート部と前記回収口部との間に前記主フロート部が設けられた構成であることを特徴とする上記２又は３に記載の液面浮遊物回収装置。
【００１６】
５．前記戻し管からの戻り水の流入位置と前記回収部の回収口部との間に、戻り水によって液面に生じる波を遮蔽する防波手段を配設する構成であることを特徴とする上記１〜４のいずれかに記載の液面浮遊物回収装置。
【００１７】
６．前記防波手段が板状部材であることを特徴とする上記５に記載の液面浮遊物回収装置。
【発明の効果】
【００１８】
請求項１に示す発明によれば、液面浮遊物をその大小にかかわらず、簡易な構成によって確実且つ効率的に回収することが可能な液面浮遊物回収装置を提供することができる。
【００１９】
特に、既設である戻し管からの戻り水を利用し、この戻り水をフロートに掛け流すことにより回収口部を上下動させる構成によって液面に波を発生させることなく回収口部を上下動させることができるので、液面浮遊物が液層内に沈下したり水と混ざることがなく、小径から直径数ｍｍ程度以上の大きな浮遊物に至るまで確実且つ効率的に、しかも簡易な構成による低コスト回収が可能である。
【００２０】
請求項２に示す発明によれば、回収部の浮上を主として受け持つ主フロート部ではなく、付帯するフロートである上下動フロート部に戻り水を掛け流すことにより、回収口部を微妙に細かく上下動させることができるので、大小様々な大きさの液面浮遊物を確実且つ効率的に回収することができる。
【００２１】
請求項３に示す発明によれば、戻り水の掛け流される量が多くなった場合には上下動フロート部が掛け流し位置から逃げ動作を行うことにより沈下が抑制されるので必要以上に沈下することがない。従って、戻り水の量が多くなった場合であっても、回収口部の沈下を抑制することができるので、液面浮遊物と共に回収される水の量の増加を抑制することができる。
【００２２】
請求項４に示す発明によれば、上下動フロート部の上下動の際、回収口部が上下動フロート部と回収部との間に位置する主フロート部を支点としてシーソー状に上下動することによって、回収部の主たる浮力にかかわらず回収口部を効率的に且つ確実に上下動させることができるので、液面浮遊物をその大小にかかわらず、簡易な構成によって確実且つ効率的に回収することができる。
【００２３】
請求項５に示す発明によれば、戻り水等によって液面に波が生じてしまった場合であっても回収口部の周囲は波の影響を受けることがないので、回収効率の低下を回避することができる。
【００２４】
請求項６に示す発明によれば、簡易な構成により防波が可能である。
【図面の簡単な説明】
【００２５】
【図１】本発明に係る液面浮遊物回収装置の概略構成図
【図２】図１の液面浮遊物回収装置の主要部である回収部及びフロートの概略平面図
【図３】回収口部の液面回収状態を示す概略説明図
【図４】図１のＩＶ方向から見た上下動フロート部の上下動及び逃げ動作を示す概略説明図
【発明を実施するための形態】
【００２６】
次に、添付の図面に従って本発明を詳細に説明する。
【００２７】
本発明に係る液面浮遊物回収装置（以下、単に回収装置と言うこともある。）は、食品工場等における液層内の浮上油・スカム、原油等の流出油、下水処理場のスカム、マシニングセンターのクーラント油、メッキの脱脂工程における浮上油等の液面浮遊物を回収し、回収した油・スカムを水から分離する装置であり、
具体的構成としては、例えば、図１〜図４に示す実施例では、
油・スカムが水に混入した液層Ｗ内に配設されるフロート２と、
該フロート２の浮力により前記液層Ｗの液面付近に保持される回収口部３１から該液面に浮上する油・スカムの如き液面浮遊物７を回収する回収部３と、
液層Ｗ外に配置されると共に前記回収部３に回収管５を介して接続して前記回収部３により回収した液面浮遊物７を水から分離する分離部４と、
該分離部４により液面浮遊物７を分離した水を前記液層Ｗ内に戻す戻し管６と、
を有して成る回収装置１において、
前記戻し管６からの戻り水ＲＷを前記フロート２の少なくとも一部に掛け流して該フロート２を前記液面に対して沈下させることにより前記液面に対する前記回収部３の回収口部３１の保持位置を上下動させる構成を主構成とするものである。
【００２８】
次に、各構成部材について実施例に基づき更に説明する。
【００２９】
フロート２は、回収部３の浮上を主として受け持つ主フロート部２１と、前記戻り水ＲＷが掛け流されることにより液面に対して沈下する上下動フロート部２２と、を有する構成となっている。
【００３０】
主フロート部２１は、本実施例では中心部分の上下方向に貫通空洞を有し、該貫通空洞内に回収管５が挿通されると共に、主フロート支持杆９によって回収部３を連結支持する構成となっている。本発明はかかる構成に限定されず、貫通空洞を持たない構成や、回収部３の周囲に２つ又は３つ以上のフロート体を配設した複数フロート構成等、この種の液面浮遊物回収装置のフロート構成として公知公用の構成を採ることもできる。
【００３１】
上下動フロート部２２は、該上下動フロート部２２の被取付部（本実施例では防波手段８を介して主フロート部２２の一部）に対して上下動フロート支持棒２３によって回動可能又は遊動可能（本実施例では回動可能）に取り付けられており、前記戻り水ＲＷの掛け流し位置からの逃げ動作及び復帰動作を行う構成となっている。尚、戻り水ＲＷを受ける面である上下動フロート部２２の上面２２Ａは、掛け流される戻り水ＲＷを受けた際の水跳ね抑制や円滑な逃げ動作性の確保等の点から図４に示すように屋根状の傾斜面を有していることが好ましい。尚また、該上面２２Ａの形状は、図４に示す構成に限定されず、片流れの傾斜面であってもよいし、円錐状や角錐状や半球状等であってもよい。
【００３２】
次に、上下動フロート部２２の上下動及び逃げ動作について説明する。
戻り管６から送出される戻し水ＲＷが上下動フロート部２２に掛け流されることにより、該上下動フロート部２２は液面に対して図４（Ａ）の位置から図４（Ｂ）の位置まで沈下することになる。
【００３３】
沈下した上下動フロート部２２は、前記上下動フロート支持棒２３を支点として回動することにより戻り水ＲＷから逃げ動作を行う。この逃げ動作によって上下動フロート部２２は、戻り水ＲＷによる沈下方向への受圧が減少するので本来有している浮力により浮上する（図４（Ｃ）参照）。このとき該上下動フロート部２２は、沈下から浮上へ転じた際の反力によって当初の位置（図４（Ａ）の位置）より上方（図４（Ｃ）の位置）まで浮上した後に当初の位置（図４（Ａ）の位置）に復帰することになる。
【００３４】
更に、逃げ動作していた上下動フロート部２２は、本来有している浮力によって戻り水ＲＷの掛け流し位置まで復帰動作が行われる。この復帰動作の際、本実施例に示すように上下動フロート部２２の下方部分に錘体２４を取り付けた構成とすることにより復帰動作が更に速やかに行われることになる。
【００３５】
この掛け流し位置への復帰により再び戻り水ＲＷが掛け流されて沈下する。この「→戻り水ＲＷの掛け流し→沈下→逃げ動作→浮上→復帰動作→戻り水ＲＷの掛け流し→」が繰り返されることにより、上下動フロート部２２は液面に対して上下動・逃げ動作・復帰動作を繰り返すことになる。
【００３６】
上下動フロート部２２の逃げ動作及び復帰動作によって、戻り水ＲＷの掛け流される量が多くなった場合には上下動フロート部２２が掛け流し位置から逃げ動作を行うことにより沈下が抑制されるので必要以上に沈下することがなくなるので、戻り水ＲＷの量が多くなった場合であっても、回収口部３１の沈下を抑制することができ、液面浮遊物７と共に回収される水量の増加を抑制することができる。
【００３７】
上記した上下動フロート部２２の上下動によって、上下動フロート支持棒２３及び主フロート部２１を介して接続される回収部３も上下に揺動されることになり、該回収部３の回収口部３１が液面に対して上下動することになる。
【００３８】
この回収口部３１の液面に対する上下動により、液面に浮遊する液面浮遊物７が回収口部３１内に効率的に流入し、水と共に回収管５を介してポンプＰによって分離部４に送り込まれる。
【００３９】
回収口部３１は、上記したように液層Ｗの液面付近に保持されることにより液面浮遊物７を水と共に流入させることで回収する構成であり、具体的な回収構成についてはこの種の液面浮遊物回収装置に用いられる公知公用の回収口部の構成を特別の制限なく用いることができる。
【００４０】
回収口部３１の液面に対する保持位置は、液面浮遊物７を回収しつつも該液面浮遊物７と共に回収する水の量を抑制するために液面に対して近似した位置であることが好ましいが、図３（Ａ）に示す位置では液面浮遊物７が比較的小径のもの７Ａである場合には回収口部３１に円滑に流入するものの、直径が数ｍｍ程度以上のもの７Ｂである場合には回収口部３１の縁部に引っ掛かってしまい流入困難となることがある。
【００４１】
本発明の回収装置１では、上記した構成によって回収口部３１を液面に対して上下動させることができるので、図３（Ａ）に示すように小径のもの７Ａは勿論のこと、図３（Ｂ）に示すように回収口部３１の保持位置が直径数ｍｍ程度以上の大きな浮遊物７Ｂが流入可能な位置にまで下がることによって、小径から大径に至るまで確実且つ効率的に、しかも低コストで回収することができる。
【００４２】
特に、戻り水ＲＷを、回収部３の浮上を主として受け持つ主フロート部２１ではなく、上下動フロート部２２に掛け流すことにより、回収口部３１を微妙に細かく上下動させることができるので、大小様々な大きさの液面浮遊物７（７Ａ・７Ｂ）を効率的に回収することができる。
【００４３】
上下動フロート部２２と回収口部３１との配設位置構成としては、本実施例では上下動フロート部２２を前記回収口部３１から離開した位置に設け、該上下動フロート部２２と前記回収口部３１との間に前記主フロート部２１が設けられた配設構成としている。
【００４４】
かかる配設位置構成とすることにより、上下動フロート部３３の上下動の際、回収口部３１が上下動フロート部２２と回収部３との間に位置する主フロート部２１を支点としてシーソー状に上下動することになり、回収部３の主たる浮力にかかわらず回収口部３１を効率的に且つ確実に上下動させることができるので、液面浮遊物７をその大小にかかわらず、簡易な構成によって確実且つ効率的に回収することができる。更に、戻り水ＲＷの掛け流し位置を回収口部３１から離れた位置とすることができるので、戻り水ＲＷによって生ずる跳ねや波の影響を著しく軽減することができる。
【００４５】
更に本実施例では、戻り水ＲＷによって液面に波が生じてしまった場合であっても回収口部３１及びその近傍周囲への波の影響を防ぐことによって回収効率の低下を回避するために、戻り水ＲＷの流入位置と前記回収部３の回収口部３１との間に波を遮蔽する防波手段８を配設することが好ましい。該防波手段８として本実施例では図１及び図２に示すように板状部材を用いている。
【００４６】
以上の構成を有する回収部３によって回収される液面浮遊物７は、前述したように回収管５を介して分離部４に送られ、油・スカムは水から分離されることになる。
【００４７】
分離部４は、この種の液面浮遊物の回収装置やその他の油水分離装置に用いられる公知公用の分離部構成を特別の制限なく用いることができる。また、回収部５により回収した液面浮遊物７及び水を吸引して分離部４内に送り込むポンプＰとしては自吸式ポンプを用いることが好ましい。
【００４８】
回収管５は、この種の液面浮遊物の回収装置に用いられる公知公用の管・ホース・サクションホース等を特別の制限なく用いることができ、好ましくは屈曲性・柔軟性に優れると共に耐油性・耐薬品性等に優れた管類を用いることである。
【００４９】
戻し管６は、この種の液面浮遊物の回収装置に用いられる公知公用の管・ホース等を特別の制限なく用いることができる。
【００５０】
以上、本発明に係る液面浮遊物回収装置は、上記実施例に限定されず、本発明の範囲内において種々の態様を採ることができる。
【００５１】
例えば、上記した実施例では、フロート２を主フロート部２１と上下動フロート部２２の２種を有する構成としたが、主フロート部２１のみとして該主フロート部２１に戻し管６からの戻り水ＲＷを掛け流す構成とすることもできる。尚、かかる構成の場合、掛け流した戻り水ＲＷが回収口部３１から流入しない位置に掛け流すことが好ましい。
【００５２】
上記実施例では上下動フロート部２２が被取付部に対して回動可能に取り付けられた構成としたが、略上下方向や略水平方向等に遊動可能に取り付けられた構成を採ることもできる。
【００５３】
防波手段として、上記実施例では板状部材の防波手段８を採っていたが、消波ブロック体等の防波或いは消波構成を有する公知公用の防波構成を採ることもできる。
【符号の説明】
【００５４】
１  液面浮遊物回収装置
２  フロート
２１  主フロート部
２２  上下動フロート部
２３  上下動フロート支持棒
２４  錘体
３  回収部
３１  回収口部
４  分離部
５  回収管
６  戻し管
７  液面浮遊物
８  防波手段
９  主フロート支持杆
Ｐ  ポンプ
Ｗ  液層
ＲＷ  戻り水
【図１】
2013150953.tif 000003
【図２】
2013150953.tif 000004
【図３】
2013150953.tif 000005
【図４】
2013150953.tif 000006